(57)【要約】【課題】ステントの半径方向の高剛性と、長手方向の曲がりやすさとを両立し、径方向の潰れにくさを維持しつつ、曲げ柔軟性、折り畳み時の管長方向コンパクト性および耐久性を備えたステントを提供すること。【解決手段】ｎ個以上（ｎは、４以上の自然数である。）の矩形波状の環状体が軸方向に整列して互いに連結された拡張可能なステントであって、矩形波の角部は、丸められてＲ形状とされており、環状体は、それぞれ、軸方向の一端側に対して凸部となり他端側に対して凹部となる山と、一端側に対して凹部となり他端側に対して凸部となる谷との組み合わせを２組以上有し、隣接する第ｍ環状体（ｍは、１以上ｎ−２以下の自然数である。）の山の凹部と、第ｍ+１環状体の谷の凹部とは、互いに向かい合って軸方向に整列し、かつ、互いに向かい合う第ｍ環状体の山の凹部と第ｍ+１環状体の谷の凹部とは、少なくとも１箇所以上において、屈曲部を有する連結部によって互いに連結されていること、ことを特徴とする。【選択図】図７
2019037701.tif 000002
【特許請求の範囲】
【請求項１】
ｎ個以上（ｎは、４以上の自然数である。）の矩形波状の環状体が軸方向に整列して互いに連結された拡張可能なステントであって、
前記矩形波の角部は、丸められてＲ形状とされており、
前記環状体は、それぞれ、軸方向の一端側に対して凸部となり他端側に対して凹部となる山と、該一端側に対して凹部となり該他端側に対して凸部となる谷との組み合わせを２組以上有し、
隣接する第ｍ環状体（ｍは、１以上ｎ−２以下の自然数である。）の山の凹部と、第ｍ+１環状体の谷の凹部とは、互いに向かい合って軸方向に整列し、かつ、互いに向かい合う該第ｍ環状体の山の凹部と該第ｍ+１環状体の谷の凹部とは、少なくとも１箇所において、屈曲部を有する連結部によって互いに連結されていること、ことを特徴とするステント。
【請求項２】
前記連結部の屈曲部は、該連結部の略中央に設けられ、かつ、前記ステントの軸方向に直交する方向に延びる部分を有する、請求項１に記載のステント。
【請求項３】
前記屈曲部は、波状、Ｕ字状、Ｖ字状、Ｗ字状、Ｓ字状、又はＺ字状のいずれかの形状である、請求項１または２に記載のステント。
【請求項４】
前記連結部は、前記第ｍ環状体の山の凹部と前記第ｍ+１環状体の谷の凹部が互いに向かい合うすべての箇所に設けられている、請求項１〜３のいずれか一項に記載のステント。
【請求項５】
前記第ｍ環状体の山の凹部と前記第ｍ＋１環状体の谷の凹部が互いに向かい合う箇所で、前記連結部が設けられている箇所、および、隣接する第ｍ+２環状体の山の凹部と第ｍ＋３環状体の谷の凹部が互いに向かい合う箇所で、前記連結部が設けられている箇所は、周面方向に１つずつずれて存在し、ステント全体としては、軸方向に対してスパイラル状に存在する、請求項１〜３のいずれか一項に記載のステント。
【請求項６】
前記第ｍ環状体の山の凹部と、前記第ｍ+１環状体の谷の凹部が互いに向かい合う箇所で、前記連結部が設けられていない箇所が存在する、請求項１〜３のいずれか一項に記載のステント。
【請求項７】
前記第ｍ環状体の山の凹部と前記第ｍ＋１環状体の谷の凹部が互いに向かい合う箇所で、前記連結部が設けられていない箇所、および、隣接する第ｍ+２環状体の山の凹部と第ｍ＋３環状体の谷の凹部が互いに向かい合う箇所で、前記連結部が設けられていない箇所は、前記ステントの軸方向に沿って整列している、請求項６に記載のステント。
【請求項８】
前記第ｍ環状体の山の凹部と前記第ｍ＋１環状体の谷の凹部が互いに向かい合う箇所で、前記連結部が設けられていない箇所、および、隣接する第ｍ+２環状体の山の凹部と第ｍ＋３環状体の谷の凹部が互いに向かい合う箇所で、前記連結部が設けられていない箇所は、周面方向に１つずつずれて存在し、ステント全体としては、軸方向に対してスパイラル状に存在する、請求項６に記載のステント。
【発明の詳細な説明】
【技術分野】
【０００１】
本発明は、生体内管路の閉塞または狭窄に対抗するために用いられるステントに関する。
【背景技術】
【０００２】
近年、外科医療分野において、狭心症や心筋梗塞、脳梗塞などのような生体内管路の閉塞または狭窄を伴う病変に対し、その治療のための医療器具としてステントが用いられている。
生体内留置用ステントは、血管あるいは他の生体内管腔が狭窄もしくは閉塞することによって生じる様々な疾患を治療するために、その狭窄もしくは閉塞部位を拡張し、その内腔を確保するためにそこに留置する、一般的には管状の医療用具である。
ステントは、体外から体内に挿入するため、挿入時には直径が小さく、目的の狭窄もしくは閉塞部位で拡張させて直径を大きくして留置し、その管腔をそのままで保持するものである。
【０００３】
ステントとしては、金属線材、あるいは金属管を加工した円筒状のものが一般的である。ステントは、細くした状態でカテーテルなどに装着されて生体内に挿入され、目的部位で所定の方法により拡張させ、その管腔内壁に密着、固定することで管腔形状を維持する。ステントは、機能および留置方法によって、セルフエクスパンダブルステントとバルーンエクスパンダブルステントに区別される。バルーンエクスパンダブルステントはステント自体に拡張機能はなく、ステントを目的部位に挿入した後、ステント内にバルーンを位置させてバルーンを拡張させ、バルーンの拡張力によりステントを拡張（塑性変形）させ目的管腔の内面に密着させて固定する。このタイプのステントでは、上記のようなステントの拡張作業が必要になる。
血管系、特に冠動脈治療に用いられているステントは、バルーンエクスパンドタイプがその大半を占めている。
【０００４】
そして、より多くの症例に対応させるために、ステントに求められる特性として、管路の拡張を維持するための径方向の潰れにくさ、生体の動きにしなやかに追従するための曲げ柔軟性、留置施術の際に患者への負担を軽減するための折り畳み時の管長方向コンパクト性、留置後の再狭窄を防ぐためのステント自体の耐久性（破損しにくさ）などが挙げられる。そのうち、折り畳み時の管長方向コンパクト性は拡張時の管長増大をも意味し、施術の際の病変部へ正確な留置のしやすさにも寄与できる。
【０００５】
従来の一般的なステントは筒状の網目のような形状をしており、拡張時には径方向には広がるものの、管長方向には短くなってしまう性質をもつため、これらの機能を発揮できなかった。これに対し、折り畳み時には管長方向のコンパクト性、拡張時には管長増大性を備えた、拡大性材料（Auxetic material）からなる管状ライナが提案されている（特許文献１）。また、生体の動きにしなやかに追従するための曲げ柔軟性を達成するために、波線状環状体及びそれらを連結するためのリンクを有するステントが知られている（特許文献２）。
【先行技術文献】
【特許文献】
【０００６】
【特許文献１】特表２００５−５３４３９６号公報
【特許文献２】特開２００８−８６４６２号公報
【発明の概要】
【発明が解決しようとする課題】
【０００７】
しかしながら、特許文献１のステントは、局所的な曲げ柔軟性（耐キンク性）に欠け、また応力集中がしやすい構造であるため耐久性が不十分であるという問題があった。
また、特許文献２のステントは、折り畳み時の管長方向コンパクト性および拡張時の管長増大が不十分であるという問題があった。拡張時にステントの長さが短くなると（ショートニング）、病変部位への正確な留置を妨げる場合があり、拡張時に長さが短くならない設計が重要である。
【０００８】
本発明は、このような従来の実情に鑑みて提案されたものであり、ステントの半径方向の高剛性と、長手方向の曲がりやすさとを両立し、径方向の潰れにくさを維持しつつ、曲げ柔軟性、折り畳み時の管長方向コンパクト性および耐久性を備えたステントを提供することを目的とする。
【課題を解決するための手段】
【０００９】
本発明者等は、前記課題を解決するために鋭意検討した結果、ステントをＡｕｘｅｔｉｃ構造とするとともに、環状体同士を互いに連結する連結部に屈曲部を設けることで、上記課題を解決できることに想到し、本発明を完成させるに至った。
すなわち、本発明は以下のとおりである。
［１］  ｎ個以上（ｎは、４以上の自然数である。）の矩形波状の環状体が軸方向に整列して互いに連結された拡張可能なステントであって、
前記矩形波の角部は、丸められてＲ形状とされており、
前記環状体は、それぞれ、軸方向の一端側に対して凸部となり他端側に対して凹部となる山と、該一端側に対して凹部となり該他端側に対して凸部となる谷との組み合わせを２組以上有し、
隣接する第ｍ環状体（ｍは、１以上ｎ−２以下の自然数である。）の山の凹部と、第ｍ+１環状体の谷の凹部とは、互いに向かい合って軸方向に整列し、かつ、互いに向かい合う該第ｍ環状体の山の凹部と該第ｍ+１環状体の谷の凹部とは、少なくとも１箇所において、屈曲部を有する連結部によって互いに連結されていること、ことを特徴とするステント。
［２］  前記連結部の屈曲部は、該連結部の略中央に設けられ、かつ、前記ステントの軸方向に直交する方向に延びる部分を有する、［１］に記載のステント。
［３］  前記屈曲部は、波状、Ｕ字状、Ｖ字状、Ｗ字状、Ｓ字状、又はＺ字状のいずれかの形状である、［１］または［２］に記載のステント。
［４］  前記連結部は、前記第ｍ環状体の山の凹部と前記第ｍ+１環状体の谷の凹部が互いに向かい合うすべての箇所に設けられている、［１］〜［３］のいずれかに記載のステント。
［５］  前記第ｍ環状体の山の凹部と前記第ｍ＋１環状体の谷の凹部が互いに向かい合う箇所で、前記連結部が設けられている箇所、および、隣接する第ｍ+２環状体の山の凹部と第ｍ＋３環状体の谷の凹部が互いに向かい合う箇所で、前記連結部が設けられている箇所は、周面方向に１つずつずれて存在し、ステント全体としては、軸方向に対してスパイラル状に存在する、［１］〜［３］のいずれかに記載のステント。
［６］  前記第ｍ環状体の山の凹部と、前記第ｍ+１環状体の谷の凹部が互いに向かい合う箇所で、前記連結部が設けられていない箇所が存在する、［１］〜［３］のいずれかに記載のステント。
［７］  前記第ｍ環状体の山の凹部と前記第ｍ＋１環状体の谷の凹部が互いに向かい合う箇所で、前記連結部が設けられていない箇所、および、隣接する第ｍ+２環状体の山の凹部と第ｍ＋３環状体の谷の凹部が互いに向かい合う箇所で、前記連結部が設けられていない箇所は、前記ステントの軸方向に沿って整列している、［６］に記載のステント。
［８］  前記第ｍ環状体の山の凹部と前記第ｍ＋１環状体の谷の凹部が互いに向かい合う箇所で、前記連結部が設けられていない箇所、および、隣接する第ｍ+２環状体の山の凹部と第ｍ＋３環状体の谷の凹部が互いに向かい合う箇所で、前記連結部が設けられていない箇所は、周面方向に１つずつずれて存在し、ステント全体としては、軸方向に対してスパイラル状に存在する、［６］に記載のステント。
【発明の効果】
【００１０】
本発明によれば、矩形波状の環状体の凹部同士を、屈曲部を有する連結部で連結したＡｕｘｅｔｉｃ構造とすることで、ステントの径方向の高剛性と、長手方向の曲がりやすさとを両立し、径方向の潰れにくさを維持しつつ、曲げ柔軟性、折り畳み時の管長方向コンパクト性および耐久性を備えたステントを提供することができる。
【図面の簡単な説明】
【００１１】
【図１】本発明のステントの第一実施形態を示す図であり、ステントを中心軸に平行に長手方向に切断し展開した状態を示す平面図である。
【図２】図１に示すステントを血管内に挿入した状態を模式的に示す図である。
【図３】ステントを血管内に留置する方法の一例を説明する図である。
【図４】本発明のステントの第二実施形態を示す図であり、ステントを中心軸に平行に長手方向に切断し展開した状態を示す平面図である。
【図５】図４に示すステントを血管内に挿入した状態を模式的に示す図である。
【図６】図４に示すステントを血管内で拡張した状態を模式的に示す図である。
【図７】本発明のステントの第三実施形態を示す図であり、ステントを中心軸に平行に長手方向に切断し展開した状態を示す平面図である。
【図８】図７に示すステントを血管内に挿入した状態を模式的に示す図である。
【図９】本発明のステントの第四実施形態を示す図であり、ステントを中心軸に平行に長手方向に切断し展開した状態を示す平面図である。
【図１０】図９に示すステントを血管内に挿入した状態を模式的に示す図である。
【図１１】曲げ特性の評価方法を説明するための図である。
【図１２】潰れ特性の評価方法を説明するための図である。
【図１３】実施例１のステントを血管内で曲げた状態を示す図である。
【図１４】実施例１のステントを血管内で潰した状態を示す図である。
【図１５】実施例２のステントを血管内で曲げた状態を示す図である。
【図１６】実施例２のステントを血管内で潰した状態を示す図である。
【図１７】実施例３のステントを血管内で曲げた状態を示す図である。
【図１８】実施例３のステントを血管内で潰した状態を示す図である。
【図１９】実施例４のステントを血管内で曲げた状態を示す図である。
【図２０】実施例４のステントを血管内で潰した状態を示す図である。
【図２１】比較例１のステントを中心軸に平行に長手方向に切断し展開した状態を示す平面図である。
【図２２】比較例１のステントを血管内で曲げた状態を示す図である。
【図２３】比較例１のステントを血管内で潰した状態を示す図である。
【図２４】比較例２のステントを中心軸に平行に長手方向に切断し展開した状態を示す平面図である。
【図２５】比較例２のステントを血管内で曲げた状態を示す図である。
【図２６】比較例２のステントを血管内で潰した状態を示す図である。
【発明を実施するための形態】
【００１２】
本発明のステントの好適な実施形態について、以下具体的に説明する。
本実施形態に係るステントは、略管状体に形成され、生体内管腔への挿入のための直径を有し、該管状体の内部より半径方向に広がる力が付加されたときに拡張可能なステントである。
本実施形態に係るステントは、主に、生体内管腔である血管に生じた狭窄部（治療部位）を治療するために使用される。ステントは、血管内で展開及び留置され、狭窄部の内側を支持することで狭窄部を押し広げる留置部材として構成される。なお、本実施形態のステントは、血管への適用に限定されるものではなく、種々の生体管腔（例えば、胆管、気管、食道、尿道、鼻腔、その他の臓器等）の治療に適用することが可能である。
【００１３】
＜第一実施形態＞  連結部間引きなし
図１および図２は、本発明のステントの第一実施形態を示す図であり、図１はステントを中心軸に平行に長手方向に切断し展開した状態を示す平面図である。また、図２は、ステントを血管内に挿入した状態を模式的に示す図である。なお、図１では８個の環状体、図２では１０個の環状体を示しているが、本実施形態のステントが備える環状体の数は、これに限定されるものではない。後掲する図面においても同様である。
【００１４】
本実施形態のステント１Ａ（１）は、ｎ個以上（ｎは、４以上の自然数である。）の矩形波状の環状体１０が軸方向に整列して互いに連結された拡張可能なステントである。ステント１Ａ（１）は、素線である矩形波状の環状体１０により、全体として筒状の骨格に形成される。
環状体１０は、軸方向に矩形波状を有し、軸心回りを周回して環状に形成されている。本実施形態のステント１Ａ（１）では、環状体１０は、それぞれ、軸方向の一端側に対して凸部となり他端側に対して凹部となる山１１と、一端側に対して凹部となり他端側に対して凸部となる谷１２との組み合わせを２組以上有する。図１に示す例では、山１１と谷１２の組み合わせからなる矩形波を３組有している。矩形波の角部は、丸められてＲ形状とされている。
【００１５】
環状体１０は軸方向に複数並び、隣接し合う環状体同士が連結部２０により連結されている。本実施形態のステント１Ａ（１）は、隣接する第ｍ環状体１０ｍ（ｍは、１以上ｎ−２以下の自然数である。）の山１１の凹部と、第ｍ＋１環状体１０ｍ＋１の谷１２の凹部とは、互いに向かい合って軸方向に整列し、かつ、該第ｍ環状体１０ｍの山１１の凹部と該第ｍ＋１環状体１０ｍ＋１の谷１２の凹部とは、少なくとも１箇所において、屈曲部２１を有する連結部２０によって互いに連結されている。図１に示す例では、互いに向かい合う第ｍ環状体１０ｍの山１１の凹部と第ｍ＋１環状体１０ｍ＋１の谷１２の凹部とは、すべての箇所において連結されている。
【００１６】
ステント１Ａ（１）は、連結部２０が複数の環状体１０を連ねることで、軸方向に連なって周面が網目状を呈する筒状となる。ステント１Ａ（１）の内側には、ステントの長手方向（軸方向）に沿って貫通孔が設けられており、留置手術時には、この貫通孔に、後述するステント留置器具のバルーンカテーテルが挿通される。
【００１７】
特に本発明では、ステントをＡｕｘｅｔｉｃ構造としている。すなわち、矩形波状の環状体１０の凹部同士（第ｍ環状体１０ｍの山１１の凹部と、第ｍ＋１環状体１０ｍ＋１の谷１２の凹部）を、連結部２０（リンク）で連結することにより、折り畳み時のコンパクト性と、拡張時の管長増大（ショートニングの解決）と、を実現した。
具体的には後述する実施例にも示されるように、ステント１Ａ（１）がＡｕｘｅｔｉｃ構造を有していることで、折り畳み時にはコンパクトであり、拡張した時には軸方向に十分に長く延びることができる。環状体１０の矩形波の振幅を変化させることで、拡張時の伸長率を制御できる。折り畳み時にコンパクトな状態で体内に入れることにより、留置施術の際に患者への負担が少なく、また拡張したときに十分に長く広がるため、目的部位を的確にカバーすることができる。
【００１８】
さらに、本実施形態のステント１Ａ（１）では、環状体１０の波形状を矩形状とするとともに、矩形波の角部は、丸められてＲ形状とされている。これにより、留置施術の際に、環状体１０の角部で患者の生体を傷つけたりすることなく、負担を少なくすることができる。
【００１９】
本実施形態に係るステント１Ａ（１）において、環状体１０を構成する素線の寸法としては、特に限定されるものではないが、例えば、幅は０．０９ｍｍ〜０．３０ｍｍ程度であり、肉厚は０．０５ｍｍ〜０．２５ｍｍ程度である。
【００２０】
環状体１０自体の寸法は、特に限定されるものではないが、例えば、非拡張時の軸方向長さ（図中Ｌ１）は１．０ｍｍ〜８．０ｍｍ程度であり、特に、１．５ｍｍ〜５．０ｍｍが好ましい。また非拡張時の直径は、例えば０．８ｍｍ〜２．５ｍｍ程度であり、拡張状態の直径は、例えば１．２ｍｍ〜４．０ｍｍ程度である。
ステント１Ａ（１）における、軸方向の環状体１０の数としては、特に限定されるものではなく、ステントの長さによって異なるが、例えば、４〜５０であり、特に、１０〜３５が好ましい。
なお、ステント１Ａ（１）の大きさ（長さおよび直径）、構成要素（環状体１０および連結部２０）の大きさ・数は、適用される生体部位を考慮して決定する。
【００２１】
また、本実施形態のステント１Ａ（１）では、連結部２０が屈曲部２１（バネ状機構）を有することにより、曲げやすくなり、応力集中も避けられる。これにより、生体内での曲げ柔軟性、耐キンク性および耐久性を向上できる。
屈曲部２１は、連結部２０の略中央に設けられ、ステントの軸方向に直交する方向に延びる部分であり、バネ状機構の役割を有する。連結部２０が、その略中央に、ステントの軸方向に直交する方向に延びる屈曲部２１を有することで、力が印加されたときに曲げる作用を有するものとなる。そして、隣接する環状体同士を柔軟に連結することができ、ステントを体内で曲げやすくなり、屈曲部２１における応力集中も避けることができる。
具体的には、例えば、屈曲部２１は、波状、Ｕ字状、Ｖ字状、Ｗ字状、Ｓ字状、又はＺ字状のいずれかの形状である。図１に示す例では、屈曲部２１は、ステントの軸方向に直交する方向にＷ字状に延びる部分を有している。屈曲部２１の角部は、丸められてＲ形状とされており、留置施術の際に、患者への負担を少なくすることができる。
【００２２】
図１に示す例では、屈曲部２１の屈曲方向は、すべて同じ方向を向いているが、屈曲部２１の屈曲方向は、異なるものであってもよい。第ｍ環状体１０ｍと第ｍ＋１環状体１０ｍ＋１とを結合する連結部２０の屈曲部２１の屈曲方向と、第ｍ＋１環状体１０ｍ＋１と第ｍ＋２環状体１０ｍ＋２とを結合する連結部２０の屈曲部２１の屈曲方向とが異なって（例えば逆方向）いてもよいし、第ｍ環状体１０ｍと第ｍ＋１環状体１０ｍ＋１とを結合する連結部２０において、隣り合う連結部の屈曲部２１の屈曲方向が異なっていてもよい。
連結部２０の、ステントの軸方向長さ（図中Ｌ２）としては、２．１ｍｍ〜１６．５ｍｍ程度が好ましく、特に、１．３ｍｍ〜４．５ｍｍが好ましい。また、屈曲部２１の、ステントの軸方向に直交する方向の長さ（図中Ｌ３）としては、０．２ｍｍ〜１．０ｍｍ程度が好ましく、特に、０．３ｍｍ〜０．５ｍｍが好ましい。
【００２３】
本実施形態に係るステント１Ａ（１）（環状体１０および連結部２０）を構成する材料は、特に限定されるものではないが、ある程度の生体適合性を有するものが好ましく、例えば、金属材料や樹脂材料を適用することができる。ステント１Ａ（１）を構成する金属材料としては、特に限定されるものではないが、例えば、例えば、Ｎｉ−Ｔｉ系合金のような擬弾性合金（超弾性合金を含む）、形状記憶合金、ステンレス鋼（例えば、ＳＵＳ３０４、ＳＵＳ３０３、ＳＵＳ３１６、ＳＵＳ３１６Ｌ、ＳＵＳ３１６Ｊ１、ＳＵＳ３１６Ｊ１Ｌ、ＳＵＳ４０５、ＳＵＳ４３０、ＳＵＳ４３４、ＳＵＳ４４４、ＳＵＳ４２９、ＳＵＳ４３０Ｆ、ＳＵＳ３０２等、ＳＵＳの全品種）、タンタル系合金、コバルト系合金、金、白金のような貴金属、タングステン系合金、炭素系材料（ピアノ線を含む）等が挙げられる。
【００２４】
次に、本実施形態のステントの留置方法の一例について、図３を用いて説明する。
ステント留置器具５０は、ステント１と、ステント１を血管４０内で拡張させるためのバルーンカテーテル５１と、バルーンカテーテル５１を収納したプロテクティブシース５３を備える。ステント１は、折り畳まれたバルーンカテーテル５１のバルーン５２に被嵌されている。ステント１が狭い蛇行した血管４０の中を通過する時に血管との摩擦で脱落するのを防止するために、ステント全体は、プロテクティブシース５３の中に引っ込んだ状態にて血管内に挿入される。血管４０の中を進行させる際には、バルーンカテーテル５１内に、ガイドワイヤー５６を挿通し、このガイドワイヤー５６を血管４０の狭窄部４１を通過させた後、このガイドワイヤー５６に沿わせてステント留置器具５０を進行させる。
【００２５】
そして、狭窄部４１の付近まで、シース５３ごとステント留置器具５０を侵入させた後、Ｘ線透視下でシースの先端を狭窄部内に位置させて位置を確認し、その位置でシース５３のみを後退させる。次に、バルーン５２内に造影剤を高圧で注入しその力でバルーン５２を拡張させる。バルーン５２の拡張により、ステント１は、半径方向に径が拡がるように塑性変形して拡張（膨張）し、狭窄部４１を押し広げる。次に、バルーン５２の圧力を除去して収縮させる。ステント１は、塑性変形による拡張保持力（形状保持力）があるので収縮せずその位置にとどまり、血管を拡張した状態を維持し続け、血流障害を改善する。
【００２６】
特に本実施形態に係るステント１Ａ（１）によれば、折り畳み時の管長方向コンパクト性に優れているので、留置施術の際に患者への負担を軽減することができる。また拡張したときに十分に長く広がるため、目的部位へ正確に留置することができる。また、曲げ柔軟性に優れているので、生体の動きにしなやかに追従することができる。さらに、径方向に潰れにくいので、管路の拡張を維持し、留置後の再狭窄を防ぐことができる。このように本実施形態のステント１によれば、優れた特性を有しているので、多くの症例に対応させることが可能である。
【００２７】
なお、上記説明では、本実施形態のステントを血管狭窄部の拡張用ステントを用いて説明したが、これに限らず、胆管、気管、食道、尿道、その他の臓器などの生体内に生じた狭窄部の改善に使用できる。
【００２８】
＜第二実施形態＞
以下、本発明の第二実施形態について説明する。なお、第二実施形態と第一実施形態とは、連結部の配置が異なるのみであり、それ以外はほぼ同様の構成を有する。そのため、以下の説明では、上述した第一実施形態と異なる部分についてのみ説明し、共通する部分については、その説明を省略する。
図４〜図６は、本発明のステントの第二実施形態を示す図であり、図４はステント１Ｂ（１）を中心軸に平行に長手方向に切断し展開した状態を示す平面図である。また、図５は、ステント１Ｂ（１）を血管内に挿入した状態を示す図であり、図６は、ステント１Ｂ（１）を拡張した状態を示す図である。
【００２９】
本実施形態のステント１Ｂ（１）においても、ｎ個以上（ｎは、４以上の自然数である。）の矩形波状の環状体１０は軸方向に複数並び、隣接し合う環状体同士が連結部２０により連結されている。本実施形態のステントは、隣接する第ｍ環状体１０ｍ（ｍは、１以上ｎ−２以下の自然数である。）の山１１の凹部と、第ｍ＋１環状体１０ｍ＋１の谷１２の凹部とは、互いに向かい合って軸方向に整列し、かつ、互いに向かい合う第ｍ環状体１０ｍの山１１の凹部と第ｍ＋１環状体１０ｍ＋１の谷１２の凹部とは、少なくとも１か所において、屈曲部２１を有する連結部２０によって互いに連結されている。
上述した第一実施形態では、互いに向かい合って軸方向に整列する、第ｍ環状体１０ｍの山１１の凹部と第ｍ＋１環状体１０ｍ＋１の谷１２の凹部とはすべて連結されていたが、本実施形態のステント１Ｂ（１）では、第ｍ環状体１０ｍの山１１の凹部と第ｍ＋１環状体１０ｍ＋１の谷１２の凹部とのうち、連結部２０によって互いに連結されていない箇所（間引き部分）が設けられている。
【００３０】
特に本実施形態のステント１Ｂ（１）では、第ｍ環状体１０ｍの山１１の凹部と第ｍ＋１環状体１０ｍ＋１の谷１２の凹部が互いに向かい合う箇所で、連結部が設けられていない箇所、および、第ｍ+２環状体１０ｍ+２の山１１の凹部と第ｍ＋３環状体１０ｍ＋３の谷１２の凹部が互いに向かい合う箇所で、連結部が設けられていない箇所は、軸方向に整列している。すなわち、ステント全体として、連結部２０が設けられていない箇所は、ステントの軸方向に沿って直線状に配されている。
【００３１】
図４に示す例では、第ｍ環状体１０ｍと第ｍ＋１環状体１０ｍ＋１との間において、凹部同士が向かい合った部分を３箇所有するが、そのうちの２箇所のみ連結部２０が設けられ、１箇所は連結部２０が設けられていない。
連結部２０で連結しない部分を設けた（間引きした）ことにより、ステント１Ｂ（１）は曲げやすくなり、応力集中も避けることができる。これにより、生体内での曲げ柔軟性、耐キンク性および耐久性をさらに向上できる。一方で、連結部２０を間引きし、曲げ柔軟性を実現したにもかかわらず、拡張保持性、耐久性も維持することができる。
【００３２】
＜第三実施形態＞
以下、本発明の第三実施形態について説明する。なお、第三実施形態と上述した実施形態とは、連結部の配置が異なるのみであり、それ以外はほぼ同様の構成を有する。そのため、以下の説明では、上述した実施形態と異なる部分についてのみ説明し、共通する部分については、その説明を省略する。
図７および図８は、本発明のステントの第三実施形態を示す図であり、図７はステント１Ｃ（１）を中心軸に平行に長手方向に切断し展開した状態を示す平面図である。また、図８は、ステント１Ｃ（１）を血管内に挿入した状態を示す図である。
【００３３】
本実施形態のステント１Ｃ（１）においても、ｎ個以上（ｎは、４以上の自然数である。）の矩形波状の環状体１０は軸方向に複数並び、隣接し合う環状体同士が連結部２０により連結されている。本実施形態のステント１Ｃ（１）は、隣接する第ｍ環状体１０ｍ（ｍは、１以上ｎ−２以下の自然数である。）の山１１の凹部と、第ｍ＋１環状体１０ｍ＋１の谷１２の凹部とは、互いに向かい合って軸方向に整列し、かつ、互いに向かい合う第ｍ環状体１０ｍの山１１の凹部と第ｍ＋１環状体１０ｍ＋１の谷１２の凹部とは、少なくとも１箇所において、屈曲部２１を有する連結部２０によって互いに連結されている。
【００３４】
本実施形態のステント１Ｃ（１）では、第ｍ環状体１０ｍの山１１の凹部と第ｍ＋１環状体１０ｍ＋１の谷１２の凹部とのうち、連結部２０によって互いに連結されていない部分（間引き部分）が設けられている。図４に示すように、本実施形態では、第ｍ環状体１０ｍと第ｍ＋１環状体１０ｍ＋１との間において、凹部同士が向かい合った箇所を３箇所有するが、そのうちの２箇所のみ連結部２０が設けられ、１箇所は連結部２０が設けられていない。
【００３５】
上述した第二実施形態では、連結されていない間引き部分は、軸方向に沿って直線状に配されていたが、本実施形態のステント１Ｃ（１）では、連結部２０が設けられていない間引き部分が、ステントの軸方向に連続しないように配されている。具体的には、図７に示すように、本実施形態のステントでは、第ｍ環状体１０ｍの山１１の凹部と第ｍ＋１環状体１０ｍ＋１の谷１２の凹部が互いに向かい合う箇所で連結部２０が設けられていない箇所、および、第ｍ+２環状体１０ｍ＋２の山１１の凹部と第ｍ＋３環状体１０ｍ＋3の谷１２の凹部が互いに向かい合う箇所で連結部２０が設けられていない箇所は、周面方向に１つずつずれて存在し、ステント全体としては、軸方向に対してスパイラル状に存在する。
【００３６】
連結部２０で連結しない部分を設けた（間引きした）ことにより、ステント１Ｃ（１）は曲げやすくなり、応力集中も避けることができる。これにより、生体内での曲げ柔軟性、耐キンク性および耐久性をさらに向上できる。一方で、連結部２０を間引きし、曲げ柔軟性を実現したにもかかわらず、拡張保持性、耐久性も維持することができる。
特に、本実施形態のステント１Ｃ（１）は、連結されていない間引き部分を、軸方向に沿ってスパイラル状に配することで、曲げ柔軟性および耐久性等の特性において、軸方向に等方性を有することとなる。すなわち、ステント全体としては湾曲方向性を持たない良好な変形が可能なものとなる。湾曲方向性を持たないとは、易変形方向および難変形方向を持たないことを意味する。
【００３７】
＜第四実施形態＞
以下、本発明の第四実施形態について説明する。なお、第四実施形態と上述した実施形態とは、連結部の配置が異なるのみであり、それ以外はほぼ同様の構成を有する。そのため、以下の説明では、上述した実施形態と異なる部分についてのみ説明し、共通する部分については、その説明を省略する。
図９および図１０は、本発明のステントの第四実施形態を示す図であり、図９はステント１Ｄ（１）を中心軸に平行に長手方向に切断し展開した状態を示す平面図である。また、図１０は、ステント１Ｄ（１）を血管内に挿入した状態を示す図である。
【００３８】
本実施形態のステント１Ｄ（１）においても、ｎ個以上（ｎは、４以上の自然数である。）の矩形波状の環状体１０は軸方向に複数並び、隣接し合う環状体同士が連結部２０により連結されている。本実施形態のステント１Ｄ（１）は、隣接する第ｍ環状体１０ｍ（ｍは、１以上ｎ−２以下の自然数である。）の山１１の凹部と、第ｍ＋１環状体１０ｍ＋１の谷１２の凹部とは、互いに向かい合って軸方向に整列し、かつ、互いに向かい合う第ｍ環状体１０ｍの山１１の凹部と第ｍ＋１環状体１０ｍ＋１の谷１２の凹部とは、少なくとも１箇所において、屈曲部２１を有する連結部２０によって互いに連結されている。
【００３９】
本実施形態のステント１Ｄ（１）では、第ｍ環状体１０ｍの山１１の凹部と第ｍ＋１環状体１０ｍ＋１の谷１２の凹部とのうち、連結部２０によって互いに連結されていない部分（間引き部分）が設けられている。図４に示すように、本実施形態では、第ｍ環状体１０ｍと第ｍ＋１環状体１０ｍ＋１との間において、凹部同士が向かい合った部分を３箇所有するが、そのうちの１箇所のみ連結部２０が設けられ、２箇所は連結部２０が設けられていない。
【００４０】
本実施形態のステント１Ｄ（１）では、連結部２０が、ステントの軸方向に連続しないように配されている。具体的には、図９に示すように、本実施形態のステント１Ｄ（１）は、第ｍ環状体１０ｍの山１１の凹部と第ｍ＋１環状体１０ｍ＋１の谷１２の凹部が互いに向かい合う箇所で、連結部２０が設けられている箇所、および、第ｍ+２環状体１０ｍ＋２の山１１の凹部と第ｍ＋３環状体１０ｍ＋３の谷１２の凹部が互いに向かい合う箇所で、連結部２０が設けられている箇所は、周面方向に１つずつずれて存在する。すなわち、ステント全体としては、連結部２０は軸に対してスパイラル状に配されている。
連結部２０で連結しない部分を設けた（間引きした）ことにより、ステント１Ｄ（１）は曲げやすくなり、応力集中も避けられる。これにより、生体内での曲げ柔軟性、耐キンク性および耐久性をさらに向上できる。一方で、連結部２０を間引きし、曲げ柔軟性を実現したにもかかわらず、拡張保持性、耐久性も維持することができる。
【００４１】
特に、本実施形態のステントで１Ｄ（１）は、連結部２０を、軸方向に沿ってスパイラル状に配することで、曲げ柔軟性および耐久性等の特性において、軸方向に等方性を有することとなる。すなわち、ステント全体として湾曲方向性を持たない良好な変形が可能なものとなる。
また、連結部２０をステントの軸方向に連続しないものとすることにより、１つの環状体１０が血管の変形に追従するように変化した時の負荷が、隣り合わない環状体にまで直接伝達されることを抑制でき、環状体個々の独立した拡張機能を発揮する。さらに、連結部２０の配置が、ステント全体から見てスパイラル状になっていることで、隣り合わない環状体による影響をより受けにくいものとなる。
【００４２】
以上、本発明の実施の形態について説明してきたが、本発明はこれに限定されるものではなく、発明の趣旨を逸脱しない範囲で適宜変更可能である。
【実施例】
【００４３】
以下、本発明の効果を確認するために行った実施例および比較例について説明する。なお、本発明は以下の実施例によって限定されるものではない。
【００４４】
実施例および比較例のステントについて、有限要素法によるシミュレーションを行い、性能を比較した。
なお、シミュレーションにおいて、ステントには、弾塑性モデルとしてステンレス  ＳＵＳ３１６Ｌ（ポアソン比：０．３、ヤング率：１９３ＧＰａ、降伏応力：１７５ＭＰａ、引張強度：４８０ＭＰａ、破断ひずみ：４０％）を用いた。ステントは、１０個の環状体が連結された構成とし、拡張前の直径が１．６ｍｍ、軸方向の長さが２１ｍｍとした。また血管には、ヤング率１ＭＰａ、ポアソン比０．３の弾性体モデルを使用した。血管は直径（内径）が２．８ｍｍ、長さが４５ｍｍとした。
【００４５】
実施例および比較例のステントについて、管内でステントを拡張させる拡張シミュレーション、拡張した状態から所定の曲げ変位を加える曲げシミュレーション、および所定の潰れ変位を加える潰れシミュレーションの３種のシミュレーションを行った。これらのシミュレーションから、折り畳み時コンパクト性を評価する拡張時伸長率、曲げ柔軟性を評価する曲げ荷重、径方向潰れにくさを評価する潰れ荷重、耐久性を評価する最大応力について評価を行った。結果を表１に示す。
【００４６】
［拡張時伸長率］
内径２．８ｍｍの血管内で、直径１．６ｍｍで長さが２１ｍｍのステントを拡張したときの、長さの変化率を測定した。
【００４７】
［曲げ荷重］
内径２．８ｍｍで長さが４５ｍｍの血管内で、直径１．６ｍｍで長さが２１ｍｍのステントを直径３．０ｍｍになるように拡張し、さらに血管両端部を固定し、固定点間の中央を長手方向と直交する方向に１０ｍｍのたわみを与えるために必要な荷重を測定した（図１１参照）。
【００４８】
［曲げ変形形状］
内径２．８ｍｍで長さが４５ｍｍの血管内で、直径１．６ｍｍで長さが２１ｍｍのステントを直径３．０ｍｍになるように拡張しさらに血管両端部を固定し、固定点間の中央を長手方向と直交する方向に１０ｍｍのたわみを与えた際に、局所的な折れ曲がり（キンク）の発生の有無を判断した。キンクが発生しなかった場合を〇、キンクが発生した場合を×として評価した。
【００４９】
［潰れ荷重］
内径２．８ｍｍで長さが４５ｍｍの血管内で、直径１．６ｍｍで長さが２１ｍｍのステントを直径３．０ｍｍになるように拡張し、さらに血管両端部を固定し、固定点間の中央部幅９ｍｍの領域に径方向内向きに０．２５ｍｍの変位を与えるために必要な荷重を測定した（図１２参照）。
【００５０】
［最大応力（曲げ）］
内径２．８ｍｍで長さが４５ｍｍの血管内で、直径１．６ｍｍで長さが２１ｍｍのステントを直径３．０ｍｍになるように拡張し、さらに血管両端部を固定し、固定点間の中央を長手方向と直交する方向に１０ｍｍのたわみを与えた際に、ステントに生じる最大の応力を測定した。
【００５１】
［最大応力（潰れ）］
内径２．８ｍｍで長さが４５ｍｍの血管内で、直径１．６ｍｍで長さが２１ｍｍのステントを直径３．０ｍｍになるように拡張し、さらに血管両端部を固定し、固定点間の中央部幅９ｍｍの領域に径方向内向きに０．２５ｍｍの変位を与えた際に、ステントに生じる最大の応力を測定した。
【００５２】
（実施例１）
図１および図２に示す構造を有するステントを、実施例１のステントとした。
すなわち、実施例１のステントは、Ｒ矩形波状の環状体が１０個、軸方向に整列して互いに連結されたステントであり、互いに向かい合う第ｍ環状体の山の凹部と第ｍ+１環状体の谷の凹部とは、すべての箇所において、屈曲部を有する連結部により連結されている。
実施例１のステントを血管内で曲げた状態を図１３に示し、ステントを血管内で潰した状態を図１４に示す。
【００５３】
（実施例２）
図４〜図６に示す構造を有するステントを、実施例２のステントとした。
すなわち、実施例２のステントは、Ｒ矩形波状の環状体が１０個、軸方向に整列して互いに連結されたステントであり、第ｍ環状体の山の凹部と第ｍ+１環状体の谷の凹部が向かい合った３箇所のうちの２箇所のみ、屈曲部を有する連結部が設けられ、１箇所は連結部を設けていない。連結されていない間引き部分は、軸方向に沿って直線状に配されている。
実施例２のステントを血管内で曲げた状態を図１５に示し、ステントを血管内で潰した状態を図１６に示す。
【００５４】
（実施例３）
図７および図８に示す構造を有するステントを、実施例３のステントとした。
すなわち、実施例３のステントは、Ｒ矩形波状の環状体が１０個、軸方向に整列して互いに連結されたステントであり、第ｍ環状体の山の凹部と第ｍ+１環状体の谷の凹部が向かい合った３箇所のうちの２箇所のみ、屈曲部を有する連結部を設け、１箇所は連結部を設けなかった。連結部を設けなかった箇所は、ステントの軸方向に対してスパイラル状に配されている。
実施例３のステントを血管内で曲げた状態を図１７に示し、ステントを血管内で潰した状態を図１８に示す。
【００５５】
（実施例４）
図９および図１０に示す構造を有するステントを、実施例３のステントとした。
すなわち、実施例４のステントは、Ｒ矩形波状の環状体が１０個、軸方向に整列して互いに連結されたステントであり、第ｍ環状体の山の凹部と第ｍ+１環状体の谷の凹部とが向かい合った３箇所のうちの１箇所のみ、屈曲部を有する連結部により連結部を設け、２箇所は連結部を設けなかった。第連結部が設けられている箇所は、ステントの軸方向に対してスパイラル状に配されている。
実施例４のステントを血管内で曲げた状態を図１９に示し、ステントを血管内で潰した状態を図２０に示す。
【００５６】
（比較例１）
図２１に示す展開構造を有するステントを、比較例１のステントとした。
すなわち、比較例１のステントは、長手方向に平行な２つの辺と、それぞれの辺に従属する各２つの辺からなる六辺体の繰り返し構造を有し、長手方向に平行な辺とそれに従属する２つの辺が９０°未満の内部角を作った。
比較例１のステントを血管内で曲げた状態を図２２に示し、ステントを血管内で潰した状態を図２３に示す。
【００５７】
（比較例２）
図２４に示す展開構造を有するステントを、比較例１のステントとした。
すなわち、比較例２のステントは、複数の波線状環状体と、それらをつなぐ２種の連結部とを有し、リンクの１種は軸方向に直交する方向に延びる屈曲部を備える。またリンクのもう１種は前記波線状環状体の頂点部分同士を連結させる。各連結部は軸方向に対して交互となるように配置されている。
比較例２のステントを血管内で曲げた状態を図２５に示し、ステントを血管内で潰した状態を図２６に示す。
【００５８】
実施例および比較例のステントについての評価結果を表１に示す。
【００５９】
【表１】
2019037701.tif 000003
【００６０】
表１から明らかなように、ステントがＡｕｘｅｔｉｃ構造を有することで（例えば実施例１）拡張時伸長率の値から、拡張時に管長が長くなることが確認でき、折り畳み時の管長方向コンパクト性が十分発揮されることがわかる。また、曲げ荷重の値および最大応力の値から、実施例のステントは曲げ柔軟性および耐久性についても優れることがわかる。さらに、潰れ荷重の値から、従来のステントと同等の径方向潰れにくさを有することもわかる。
【００６１】
特に、Ａｕｘｅｔｉｃ構造を有する比較例１と、実施例１とを比較すると、連結部に屈曲部を設けることにより、曲げ荷重が小さくなり曲げ柔軟性が向上することがわかる。
また、実施例１〜４のステントは、比較例のステントと比べてほぼ同等の性能を有することも確認された。
【００６２】
実施例１では、剛性が高いものの、曲げ柔軟性が十分ではなかった。また、連結部のない箇所を設けた（間引きした）影響について、実施例１と、実施例２〜実施例４とを比較してわかるように、コンパクト性には大きな影響は見られなかった。また、曲げ柔軟性についても大きな影響は見られなかった。また耐久性には大きな影響はみられなかった。実施例２〜４では、連結部の数による曲げ柔軟性は変わらない。このように、いずれの評価項目も大きな違いはみられず、連結部の間引きの影響は小さいことが確認された。
【００６３】
しかし、拡張保持性については、連結部の数が少なくなるに従い、拡張保持性が低下する傾向があることが確認された。実施例４は従来品である比較例２よりも拡張保持性が下回っており、ステントとしての性能が十分に発揮できない可能性もある。そのため、ステントとしての性能を発揮するためには、例えば、隣接する環状体の山の凹部と、谷の凹部とが互いに向かい合う箇所のうち、少なくとも１／３以上の箇所に連結部が設けられていることが好ましい。
【産業上の利用可能性】
【００６４】
本発明のステントは、径方向の高剛性と、長手方向の曲がりやすさとを両立し、径方向の潰れにくさを維持しつつ、曲げ柔軟性、折り畳み時の管長方向コンパクト性および耐久性を備えたものとなり、心疾患の原因となる冠動脈の狭窄や閉塞を改善するステント留置術などの治療法の分野で好適に利用できる。
【符号の説明】
【００６５】
１Ａ〜１Ｄ（１）    ステント
１０    環状体
１１    山
１２    谷
２０    連結部
２１    屈曲部
４０    血管
４１    狭窄部
５０    ステント留置器具
５１    バルーンカテーテル
５２    バルーン
５３    プロテクティブシース
【図１】
2019037701.tif 000004
【図２】
2019037701.tif 000005
【図３】
2019037701.tif 000006
【図４】
2019037701.tif 000007
【図５】
2019037701.tif 000008
【図６】
2019037701.tif 000009
【図７】
2019037701.tif 000010
【図８】
2019037701.tif 000011
【図９】
2019037701.tif 000012
【図１０】
2019037701.tif 000013
【図１１】
2019037701.tif 000014
【図１２】
2019037701.tif 000015
【図１３】
2019037701.tif 000016
【図１４】
2019037701.tif 000017
【図１５】
2019037701.tif 000018
【図１６】
2019037701.tif 000019
【図１７】
2019037701.tif 000020
【図１８】
2019037701.tif 000021
【図１９】
2019037701.tif 000022
【図２０】
2019037701.tif 000023
【図２１】
2019037701.tif 000024
【図２２】
2019037701.tif 000025
【図２３】
2019037701.tif 000026
【図２４】
2019037701.tif 000027
【図２５】
2019037701.tif 000028
【図２６】
2019037701.tif 000029